(57)【要約】【課題】  水道の吐水口に取付けた自動給水閉塞装置ではなく、止水弁そのものを回して給水を止めるものとしては、弁棒が水平に取付けられた水道蛇口に適応したが考案されているが、一般的には弁棒が起立した三方または四方のバルブハンドルの止水弁が多い。【解決手段】  バルブハンドルＡの上部に被せた円盤状の上面取付部材１と、下面取付部材２と、吐水口Ｃの反対側の水道管に取り付けた一対の配管取付金具３と、該配管取付金具３の上部に設けた板状のプーリー取付板４と、該プーリー取付板４の上辺の両端に取付けた一対の案内プーリー５と、前記上面取付部材の外周溝７に一方の開放糸８は開放方向に巻き付け、その糸の先端に垂下したフロート部材１０と、他方の閉塞糸９は閉塞方向に巻き付け、その糸の先端に垂下した錘部材１１と、前記配管取付金具３の下部に取付けた一対の方向転換プーリー６とで構成する。【選択図】      図２
2006002830.tif 000002
【特許請求の範囲】
【請求項１】
水道蛇口の起立した弁棒で螺昇降による止水弁において、該止水弁を自動的に閉塞するものであって、バルブハンドルの上部に被せた円盤状の上面取付部材と、前記バルブハンドルの下部に装着した円盤状の下面取付部材と、該上、下面取付部材で前記バルブハンドルを挟持し、螺子で固定し、前記上面取付部材の外周には糸を巻き付ける外周溝を設け、吐水口の反対側の水道管に取り付けた一対の配管取付金具と、該配管取付金具の上部に設けた板状のプーリー取付板と、該プーリー取付板の上辺の両端に取付けた一対の案内プーリーと、前記上面取付部材の外周溝に一方の糸は開放方向に巻き付け、前記案内プーリーに案内され、その糸の先端に垂下したフロート部材と、他方の糸は閉塞方向に巻き付け、前記案内プーリーに案内され、その糸の先端に垂下した錘部材と、前記配管取付金具の下部に取付けた一対の方向転換プーリーと、で構成されたことを特徴とする水道蛇口自動閉塞装置。
【発明の詳細な説明】
【技術分野】
【０００１】
この発明は、浴槽等への給水において、任意の水位に達したときに、自動的に水道蛇口を閉塞するための、自動給水閉塞装置に関するものである。
【背景技術】
【０００２】
浴槽等の自動給水閉塞装置は様々なものが考案されているが、水位の上昇に伴い、フロートに浮力が作用して、給水を停止する装置としては、下記文献１のように吐水口に取付けたものが多く出願されている。この装置は止水弁を直接止めるものではなく、その装置には常に水圧が掛かり、吐水口との接続部及び装置そのものの漏水に注意を払わねばならない。
また水道の吐水口に取付けた自動給水閉塞装置ではなく、止水弁そのものを回して給水を止めるものとしては、弁棒が水平に取付けられた水道蛇口に適応した、下記文献２があげられる。しかし一般的には弁棒が起立した三方または四方のバルブハンドルの止水弁が多い。
【特許文献１】実開昭５６−１１１３７８
【特許文献２】実開昭６０−０１０９７３
【発明の開示】
【発明が解決しようとする課題】
【０００３】
一般家庭では自動給水閉塞装置だけでその蛇口を使用するものではなく、ホースを繋いで浴槽等を洗浄する際は、その都度自動給水閉塞装置を外すことになり、ホースをワンタッチで接続できるような、共通のコネクターとはなっていないのが実情である。
また水道の吐水口に取付けた自動給水閉塞装置ではなく、止水弁そのものを回して給水を止めるものとしては、弁棒が水平に取付けられた水道蛇口に適応したものが考案されているが、一般的には弁棒が起立した三方または四方のバルブハンドルの止水弁が多い。
本発明は、上記の問題点を解決し、簡単で取り扱いに便利な自動給水閉塞装置を提供しようとするものである。
【課題を解決するための手段】
【０００４】
水道蛇口の起立した弁棒で螺昇降による止水弁において、該止水弁を自動的に閉塞するものであって、バルブハンドルＡの上部に被せた円盤状の上面取付部材１と、前記バルブハンドルＡの下部に装着した円盤状の下面取付部材２と、該上、下面取付部材２で前記バルブハンドルＡを挟持し、螺子で固定し、前記上面取付部材１の外周には糸を巻き付ける外周溝７を設け、吐水口Ｃの反対側の水道管に取り付けた一対の配管取付金具３と、該配管取付金具３の上部に設けた板状のプーリー取付板４と、該プーリー取付板４の上辺の両端に取付けた一対の案内プーリー５と、前記上面取付部材の外周溝７に一方の開放糸８は開放方向に巻き付け、前記案内プーリー５に案内され、その糸の先端に垂下したフロート部材１０と、他方の閉塞糸９は閉塞方向に巻き付け、前記案内プーリー５に案内され、その糸の先端に垂下した錘部材１１と、前記配管取付金具３の下部に取付けた一対の方向転換プーリー６と、で構成されたことを特徴とする水道蛇口自動閉塞装置。
【０００５】
これにより、浴槽等に入れられたフロート部材１０は給水による水位の上昇で、ある水位に達した時、そのフロート部材１０に浮力が作用し、次第に開放方向のトルクが減少する。閉塞方向のトルクは錘部材１１により一定であり、開放方向のトルクが減少すれば、相対的に閉塞方向のトルクが勝り、止水弁を閉塞することになる。
【発明の効果】
【０００６】
本発明の自動給水閉塞装置を使用することにより、次のようなことが可能となる。
イ、自動給水閉塞装置には様々なものが考案されているが、この装置は吐水口に取付けるものではなく止水弁を回して止めるものである為、吐水口にホースを接続したまま、給水を行うことができる。
ロ、本装置はバルブハンドルに円盤状の上面取付部材を被せてあるが、バルブハンドルとして使用することができ、取り外す必要はない。
ハ、浴槽等の位置がいずれの方向であっても、方向転換プーリーの向きを変えることにより、対応することができる。
ニ、プラスチック等の容器でフロートを形成し、その容器に当該バルブのトルクに合わせて、水等の液体をいれ、重量を調整することができる。
【発明を実施するための最良の形態】
【０００７】
本発明の実施の形態について、図面を参照して説明する。図１〜図３の形状は実施の形態の一例であり、解決手段に記された機能を果たすことができれば、種々の変形は可能である。
【０００８】
本発明は自動給水閉塞装置であって、図２に示すように、上面取付部材１の外周には糸を巻き付ける外周溝７を設け、糸の端末を掛ける係止部１２を設ける。また上面取付部材１の外径はトルクを考慮して、７０〜８０ｍｍが望ましい。
【０００９】
図２に示すように、下面取付部材２を取付ける際は弁棒ＢからバルブハンドルＡを外し、下面取付部材２を装着後バルブハンドルＡを戻し、その上に上面取付部材１を被せ螺子で固定する。上、下面取付部材を結合する螺子孔の配置は、弁棒Ｂを中心とした、一辺が適切な長さの正三角形にすれば、三方が突設したバルブハンドルＡでも、四方が突設したものでも取付けることができる。
【００１０】
図２に示すように、配管取付金具３は上下に螺子孔を穿設する。さらに配管取付金具３には螺子の緩みによる回動を防止する為、弁棒Ｂを通した水道管を挟み込むように、左右対称の一対の突設部１３に設ける。
【００１１】
図３に示すように、プーリー取付板４は配管取付金具３の上部に螺子止めされ、形状は逆台形であるが、案内プーリー５を取付けることができ、案内プーリー５の高さを上下に調整できる高さ調整螺子孔１４が設けられていれば、形状の変更は可能である。
【００１２】
図３に示すように、プーリー取付板４に取付けられた案内プーリー５は、上面取付部材１の外周溝７と同程度の高さであることが望ましい。
【００１３】
図３に示すように、方向転換プーリー６は配管取付金具３の下部に螺子で取り付けられたＬ型金具１５に取付ける。このＬ型金具１５は水平に回転できるものとして、浴槽等の位置により方向転換プーリー６の方向を調整することができるものとする。
【００１４】
図３に示すように、閉塞方向の閉塞糸９は上面取付部材１の糸係止部１２に掛け、外周溝７に沿って巻き付けて、閉塞案内プーリー５ａに掛け、次に方向転換プーリー６ａ掛けた後、先端に錘部材１１を垂下する。
【００１５】
図３に示すように、開放方向の開放糸８は閉塞方向とは逆向きに、外周溝７に沿って巻き付けて、開放案内プーリー５ｂに掛け、次に方向転換プーリー６ｂ掛けた後、先端にフロート部材１０を垂下し浴糟等に入れる。この際所望の水位で自動閉塞するように、糸の長さを調整する。これにより水位の設定は自由に行うことができる。
【００１６】
図１に示すように、浴槽等の水位が上昇するにつれ、垂下されたフロート部材１０は浮力をうけ開放方向のトルクが減少する。水位の上昇に伴い次第に閉塞方向のトルクが相対的に勝り、やがて止水弁は閉塞し予め設定した水位で給水が停止される。
【実施例】
【００１７】
イ、止水弁の開閉のトルクは機種やパッキン等で異なるが、上面取付部材の外径が７０〜８０ｍｍであれば、糸に垂下する錘は概ね３００〜６００ｇで閉塞方向に回り出す。したがって閉塞方向の糸には８００ｇ程度の錘を垂下すればよいことになる。
この閉塞方向の錘に対して、開放方向の糸には８００ｇから作動開始トルクの３００〜６００ｇを差し引いた２００〜５００ｇ以上のフロートを垂下すれば、止水弁は静止状態となる。
ロ、給水停止後、浴槽等からフロートを取り出す。この開放方向の糸の中間にフロート係止部を設け、止水弁の近傍に垂下する。そのフロート重さに相当する錘を閉塞方向の糸に垂下しておけば、普段の止水弁開閉操作に支障はない。
ハ、一旦当装置を設置すれば、給水の水位設定は容易に行うことができる。
【図面の簡単な説明】
【００１８】
【図１】本発明の実施例の本体の斜視図
【図２】本発明の実施例の本体の側面図
【図３】本発明の実施例の本体のプーリー取付板を正面とした図
【符号の説明】
【００１９】
１    上面取付部材
２    下面取付部材
３    配管取付金具
４    プーリー取付板
５ａ  閉塞案内プーリー
５ｂ  開放案内プーリー
６ａ  方向転換プーリー
６ｂ  方向転換プーリー
７    外周溝
８    開放糸
９    閉塞糸
１０  フロート部材
１１  錘部材
１２  糸係止部
１３  突設部
１４  高さ調整螺子孔
１５  Ｌ型金具
Ａ    バルブハンドル
Ｂ    弁棒
Ｃ    吐水口
Ｄ    水道管
【図１】
2006002830.tif 000003
【図２】
2006002830.tif 000004
【図３】
2006002830.tif 000005